Podtech/llm-jp-corpus-v4-ja_patent huggingface dataset:
(57)【要約】【課題】冬期におけるゴルフ場のティーグラウンド又はグリーンの凍結を防止する。【解決手段】ティーグラウンドＧ又はグリーンの土中又は表面に電気加熱のフィルムヒータ１を埋設又は載置し、このフィルムヒータ１に太陽電池２を接続して表面の土を１０〜３０℃に加熱し、これにより表面の凍結を防止する。【選択図】      図１
2005016210.tif 000002
【特許請求の範囲】
【請求項１】
ゴルフ場のティーグラウンド、グリーン等のグラウンドの土中又は表面に土の表面が凍結するのを防止するための電気加熱の発熱素子を埋設又は載置したことを特徴とするゴルフ場のグラウンドの凍結防止装置。
【請求項２】
前記発熱素子は太陽電池により加熱されることを特徴とする請求項１記載のゴルフ場のグラウンドの凍結防止装置。
【請求項３】
前記太陽電池に電気二重層コンデンサが接続され、前記太陽電池自体も電気加熱の発熱素子により加熱され光線取入面に霜、雪等が付着しないようになっている請求項２記載のゴルフ場のグラウンドの凍結防止装置。
【発明の詳細な説明】
【０００１】
【発明の属する技術分野】
本発明は、ゴルフ場のティーグラウンド又はグリーン等の表面の凍結防止装置に関する。
【０００２】
【従来の技術】
冬期においては、ゴルフ場のティーグラウンドは時として凍結し、ティーグラウンドにささりにくくなり、また、グリーン上も凍結し、ボールがグリーン上で飛び跳ねてしまいゲームが面白くなくなるという問題がある。
【０００３】
そこで、本発明は、ゴルフ場のティーグラウンド又はグリーンにヒータをセットし、土を暖めて凍結を防止するようにした凍結防止装置を提供する。
【０００４】
【課題を解決するための手段】
本発明は、ゴルフ場のティーグラウンド、グリーン等のグラウンドの土中又は表面に土の表面が凍結するのを防止するための電気加熱の発熱素子を埋設又は載置したことを特徴とする。
【０００５】
これにより土の表面が１０〜３０℃程度に加熱され土表面の凍結が有効に防止される。
【０００６】
【実施態様】
以下、図面を参照して本発明の実施態様について説明する。
【０００７】
図１において、ゴルフ場のティーグラウンドＧの所定の位置には、本発明の凍結防止装置Ｍが土中１０ｃｍ程度の深さに埋設されている。この凍結防止装置Ｍは、電気加熱のフィルムヒータ１を有し、このフィルムヒータ１の４隅近傍には、太陽電池２、２…２が配設され、このフィルムヒータ１の上方には、ゴルフボール４Ｂを載置したティー３がさし込まれている。
【０００８】
前記フィルムヒータ１は、図２に示すように、帯状の発熱素子４、４…４を所定間隔で配設し、絶縁フィルムでラミネートしたものであり、発熱素子４の両端には銀ろう等の電極５、５が取付けられ、この電線に太陽電池２、２…２が接続されている。
【０００９】
なお、図３に示すように、カーボン繊維に発熱材料を蒸着して束ねた線状の発熱素子１０を絶縁フィルム３０でラミネートし、線状発熱素子１０の両端に電極１１、１１を設け、これら電極１１に太陽電池２を接続してもよい。また、帯状発熱素子４および線状発熱素子１０は特願２００３−１４８３４７に開示されている素子が好ましい。また、この代りに特許第２６２８５１９号に開示されている発熱素子でもよい。
【００１０】
すなわち、少なくとも、酸化錫と、酸化鉛と、塩化鉛と、を原料とし、この原料に還元剤を添加して混合して混合物を形成し、この混合物を加熱した後、冷却することによって得られる上澄み液、または沈殿物から製造されることを特徴とする発熱機能材が好ましい。
【００１１】
なお、線状の発熱素子１０は絶縁フィルムの代わりに他の被覆材で円柱状に被覆し、電線のような態様で使用することも可能である。
【００１２】
前記太陽電池２は、図４に示すように、ソーラーパネル２０、２０…２０を垂直にケース内に設け、このケースの底部に電気二重層コンデンサ２１をセットしたものであり、僅かな太陽光線でも電気二重層コンデンサ２が蓄電し、僅かずつ放電して夜でもフィルムヒータ１が発熱して凍結を防止する。
【００１３】
前記電気二重層コンデンサ２の内壁には、図５に示すように、帯状のヒータ２２が貼着され、この帯状ヒータ２２は発熱素子２３の両端に電極２４、２４を備え、絶縁フィルムでラミネートしたものであり、電極２４がコンデンサ２１に接続されて加熱され、太陽光取入面の透明ケース部２５に霜、雪等が付着しないようになっている。
【００１４】
本実施例においては、ヒータ電源として太陽電池を使用しているが、これに限らず３Ｖ〜２８０Ｖ内のいかなる電源でもよい。直流でも交流でもかまわない。
【００１５】
図１に示すヒータ１を複数個又は図３の線状の発熱素子１０をグリーン全面に亘ってその土中に埋設すれば、グリーンの凍結防止も容易に行なうことができる。なお、本発明のヒータは土中に埋設するばかりでなく、ティーグラウンド、グリーンの上面に被せるようにしてもよい。
【００１６】
また、発熱素子としては、特許第２６２８５１９号に開示されている半導体電熱変換材料を用いることも可能である。
【００１７】
すなわち、四塩化錫と、三塩化アンチモン、塩化鉛、塩化亜鉛および塩化インジウムから選ばれた少なくとも１つの塩化物をエチルアルコール、メチルアルコールおよびアセトンから選ばれた１つの有機溶剤に溶解し、この有機溶液に弗化アンモニウム、弗化水素酸および酒石酸の水溶液から選ばれた１つの水溶液を加えて還元し、これを１５０〜２５０℃に加熱して形成された材料をバインダー（テフロン（登録商標）等）でフィルム状に形成したものあるいは蒸着、溶着させたものを用いることも可能である。
【００１８】
【発明の効果】
本発明は、以上のように構成したので、ゴルフ場のティーグラウンド又はグリーンの凍結を有効に防止できる。
【図面の簡単な説明】
【図１】図１は本発明のフィルムヒータをティーグラウンドに埋設した状態を示す斜視図である。
【図２】図１のフィルムヒータの構成図である。
【図３】本発明の他の実施例を示すヒータの斜視図である。
【図４】図４は、電気二重層コンデンサを含む太陽電池の構成図である。
【図５】図５は、図４に示す太陽電池内に収納される帯状ヒータである。
【符号の説明】
Ｍ…凍結防止装置
１…フィルムヒータ
２…太陽電池
４…発熱素子
１０…線状発熱素子
２０…ソーラーパネル
２１…電気二重層コンデンサ
【図１】
2005016210.tif 000003
【図２】
2005016210.tif 000004
【図３】
2005016210.tif 000005
【図４】
2005016210.tif 000006
【図５】
2005016210.tif 000007
(57)【要約】      （修正有）【課題】ピッキングを防止する鍵を提供する。【解決手段】鍵の真中を凸凹に切断し、それをひとつの鍵として組合わせて使用する。半分に切断した先端部側の鍵（鍵Ｂ）を施錠時に鍵穴に入れっぱなしにし、残り半分の鍵（鍵Ａ）との組合せで鍵が機能する仕組みとして、ピッキングを防止する。【選択図】図１
2005016277.tif 000002
【特許請求の範囲】
【請求項１】
本体の鍵は、ピッキング防止のために考案したものである。いくつもの鍵をつける必要はありません。そのために考えた商品であります。
【請求項２】
新しい発明。
【発明の詳細な説明】
【０００１】
【考案の属する技術分野】
本考案は、鍵を少し厚くして合わせる時にずれないようにしました。
【０００２】
本体はまず鍵の真中を凸凹に切ります。それを一つの鍵にして組み合わせます。
【従来の技術】
【０００３】
従来の技術は、かけた鍵はそのまま抜き取ります。
【考案が解決しようとする課題】
【０００４】
本体の鍵は半分に切断したＢの片方を鍵の穴の中に入れっぱなしにしておく事によってピッキングをしようとしても鍵のＢが半分入っているので、ピッキングすることができない
【課題を解決するための手段】
【０００５】
本考案は鍵をかけた後はＡの鍵だけを外して、持っている事ができる
【考案の実施の形態】
【０００６】
本体は鍵の厚さでずれを防ぎ、ＡとＢを合わせて開けることが出来ます。
【実施例】
【０００７】
以下、添付図面に沿って実施例を説明する。１．ＡはＢのへこみに合うように差し込みます。
【０００８】
厚さがあるのでＡとＢがスムースに噛み合い簡単に開けることが出来ます。なによりも鍵をいくつもつける必要が無く経済的です。
【図面の簡単な説明】
【０００９】
図▲１▼本考案は鍵を２つに分けＢを鍵の穴に入れっぱなしにしておく。Ｂが入っているのでピッキングは出来ない
【００１０】
図▲２▼ＡをＢに差込み、鍵をかけた後はＡだけを外して持っている。
【００１１】
図▲３▼は断面図である。
１鍵Ａ
２鍵Ｂ
３鍵Ａと鍵Ｂを合わせたところ
2005016277.tif 000003
【手続補正書】
【提出日】平成15年9月1日(2003.9.1)
【手続補正１】
【補正対象書類名】明細書
【補正対象項目名】図面の簡単な説明
【補正方法】変更
【補正の内容】
【図面の簡単な説明】
【図１】上面図（分離状態）
・一つの鍵を鍵Ａと鍵Ｂに切断、分離した状態
【図２】上面図（使用可能状態）
・鍵Ａの凸部と鍵Ｂの凹部を合わせる事で使用可能な状態、鍵Ｃとなる。
【符号の説明】
・鍵Ａは完成品の鍵の中央部から先端部までを切断したもの
・鍵Ｂは完成品の鍵の中央部から取手部までを切断したもの
・鍵Ｃは鍵Ａと鍵Ｂを合わせ、合体させ、使用可能な状態


【手続補正２】
【補正対象書類名】図面
【補正対象項目名】全図
【補正方法】変更
【補正の内容】
【図１】
2005016277.tif 000004
【図２】
2005016277.tif 000005
(57)【要約】【課題】手摺又はフェンス等そのものを人体検知センサーとして使用する。【解決手段】金属製又はその他の導電体製の手摺又はフェンス等に人の持つ静電容量を検知する装置を接続することにより、手摺又はフェンス等をそのものをセンサーとして使用する。【選択図】  図１
2005016276.tif 000002
【特許請求の範囲】
【請求項１】
金属製又はその他の導電体製で人の接近あるいは接触を検知するセンサーとして使用できる手摺。
【発明の詳細な説明】
【０００１】
【発明の属する技術分野】
この発明は、公共施設、戸建住宅、集合住宅等の手摺又はフェンス等、
あるいは危険地帯の表示等のために設置された手摺又はフェンス等に、
人の持つ静電容量を検出する装置を接続又は組み込むことにより、
手摺又はフェンス等そのものを、センサーとして使用する為の方策で、
防犯あるいは人体の危険に対応しようとする為の発明である。
金属製、又はその他の導電体製の手摺、フェンス，柵、垣、など、
人の侵入を規制するために設けられる設備に適用するもので、
電気的に結合された設備であれば全体を一つのセンサーとすることが可能である。
【０００２】
【従来の技術】
従来、人の接近又は侵入を感知する為には、手摺又はフェンス等に接して、
又は近傍に人を感知する為の光電式センサー、焦電センサー、
ＴＶカメラ等のセンサーを配置していた。
つまり、手摺、フェンスは、手摺、フェンスとして、センサーはセンサーとしての役割をはたしていた。
【０００３】
【発明が解決しようとする課題】
従ってこれらの方式を防犯の目的に活用した場合、侵入者がセンサーの存在を知ろうとすれば比較的簡単に発見され、手摺又はフェンスとセンサーを逐次無力化することにより回避することが可能である。
なおセンサーはその検知範囲が光軸などの直線あるいは扇形の範囲であり、
手摺又はフェンス等が折れ曲がって設置されている場合には、
折れ曲がった角ごとにセンサーを配置する必要がある。
【０００４】
【課題を解決するための手段】
本発明は、手摺又はフェンス等そのものをセンサーとして使用する為に、
手摺又はフェンス等に人の持つ静電容量を検知する回路を接続
又は組み込む事により、手摺又はフェンス等そのものをセンサー化しようとするものである。
静電容量を検知する回路を手摺の表面に組み付け又は内部に組み込むことにより、あるいは手摺又はフェンス等の内側で離れた場所に設置し接続することで、
手摺又はフェンス等に接近あるいは接触すればセンサー化した手摺又はフェンス等により検知され、静電容量を検知する回路を簡単に取り外したり無力化すことが困難になる。
なお電気的に結合されていれば、手摺又はフェンス等が折れ曲がって設置されていても全体がセンサーとして作動し、
検知範囲は手摺又はフェンス等が設置されている全体である。
【０００５】
【発明の実施の形態】
〔第１の実施の形態〕本発明を図面によって説明すれば
図１手摺又はフェンス１に静電容量検知回路２及び電源回路３を組み込む充分な空間のある場合は、電磁的にシールドされた容量検知回路２及び電源回路３を（１ａ）の様に内部に組み込む形態が良く、防犯上最強となる。
また（１ｂ）の様に静電容量検知回路２及び電源回路３を、手摺又はフェンス１に螺子止め等で取り付ける場合は既設の設備に対して簡単に設置することが可能である。
なお（１ｃ）の様に装置の取り付けが出来ない場合には離れた場所に
静電容量検知回路２及び電源回路３を設置しシールド線等で結合する事ができる。
この場合は防犯上簡単に察知されない施工が必要である。
４は手摺又はフェンス１を人の静電容量検知センサーとする為の、
静電容量検知装置と手摺又はフェンス１を電気的に結合する点である。
５はコンセントより商用電源を電源回路３に給電する。
６はアース線であり場合によっては省略が可能である。
７はセンサー検出出力であり警報装置、表示装置等に接続する。
静電容量検知回路２は一般的に高感度タッチセンサーと称される物あるいは、
楽器にみられるテルミン等、身体の接近又は接触を検知して電気信号を出力できる装置のことである。
図２はシステムの回路図である。
〔第２の実施の形態〕図３の図面について説明すれば
静電容量検知回路２に加え太陽光発電装置と蓄電池を組み合わせた電源回路３に変更すること、及びセンサー検出出力７を電波あるいは光電式の
通信装置８によって警報装置９に信号を伝達することにより、有線による給電及び信号伝達の困難な地点にも設置が可能になる。
【０００６】
【発明の効果】
本発明の装置を設置すれば、進入者は、進入地点とするベランダ、
エントランスあるいはガラス張りのサッシに達する以前に検知され、
警報又はその他の対策をこうずる事ができる。
装置は受動的であり小電力で作動するためランニングコストも能動的な装置を設置するより節約できる。
【０００７】
【図面の簡単な説明】
【図１】（１ａ）〜（１ｃ）は静電容量検出装置の手摺又はフェンスえの取り付け図である。
【図２】システムの回路図である。
【図３】本発明第２の実施の形態におけるシステムの回路図である。
【０００８】
【符号の説明】
１  手摺又はフェンス
２  静電容量検知回路
３  電源回路
４  静電容量検知装置と手摺又はフェンスを電気的に結合する点
５  コンセントより商用電源を電源回路に給電する
６  アース線
７  センサー検出出力
８  電波あるいは光電式の通信装置
９  警報装置
【図１】
2005016276.tif 000003
【図２】
2005016276.tif 000004
【図３】
2005016276.tif 000005
【手続補正書】
【提出日】平成15年9月22日(2003.9.22)
【手続補正１】
【補正対象書類名】図面
【補正対象項目名】全図
【補正方法】変更
【補正の内容】
【図１】
2005016276.tif 000006
【図２】
2005016276.tif 000007
【図３】
2005016276.tif 000008
(57)【要約】【目的】本発明は窓に発生する結露水をヒーターやモーターを使用せずに処理する事を目的とする。【構成】容易な加工性の伴う木材や集成材、合成木材を加工して、吸排水出来るシリカゲルを収納し、結露水吸入口と排気穴（蒸発口）、空気導入穴を設け、結露水の吸入で凝縮熱が発生し、結露水を蒸発しやすくさせて室内への湿気サイクルがし易い構成となっている。【選択図】  図１
2005016275.tif 000002
【特許請求の範囲】
【請求項１】
サッシ▲２▼の下部に取り付けられる窓台▲１▼に結露水の吸入口▲６▼の穴をあけた浅溝▲３▼を掘り、内部を刳り抜いてシリカゲル▲７▼を収納する空間をつくり当該空間から排気穴（蒸発口）▲５▼が上部に抜け、横から空気導入穴▲８▼があいて、その貫通部分にシリカゲル▲７▼を収納して、裏板▲９▼で塞いだ事を特長とした窓の結露水処理窓台
【発明の詳細な説明】
【０００１】
【産業上の利用分野】
本発明はエネルギーを使用せず、窓の結露を吸水し蒸発させる窓台に関するものである。
【０００２】
【従来の技術】
本発明は参考文献平成１０年特許出願第２２９２４８号の改良研究で成されたものである。参考文献の「結露水処理窓台」はアルミや樹脂で構成されている。それ以前の技術として、市販されているサッシに結露を受ける皿状の金物がついている物もある。しかし、オーバーフローした時に周辺を汚す場合がある。また、結露水を外部に排出するものもあるが凍結する場合がある。
【０００３】
【発明が解決しようとする問題点】
真冬の快適な湿度を保った空間ではほとんどの窓に結露を生じさせる。結露が生じていない場合は、過乾燥状態であり住む人にとって良い環境ではない。つまり、人にとって快適な湿度環境では結露が必ず発生する。窓の結露水が窓の下部の内装材を汚しカビを繁殖させ、壁の中に入って断熱材を濡らし構造材を腐らせるなど、多くの問題を生じさせている。このような問題を解決するためには窓の下にヒーターを置く方法やファンを稼動させる方法があるが、多くのエネルギーを使用し、更に稼動騒音の問題がある。従来の技術である参考文献平成１０年特許出願第２２９２４８号の結露水処理窓台は、樹脂素材やアルミで構成されるため、施工現場に対応した加工に難点があり、また窓の結露水をもれなく吸入する事が困難であった。
加えてシリカゲル収納内部を凝縮熱で、その内部より湿度の低い室内側に蒸発させる程の温度差を生じさせにくかった。
【０００４】
【本発明の目的】
本発明はヒーターやモーターなどのエネルギーの一切を使用する事なく、快適な生活環境の中で窓の結露水を自然に処理し、結露水による多くの問題を解決する事を目的とする。
【０００５】
【問題を解決するための手段】
この発明はサッシ▲２▼の下部に取り付けられる窓台▲１▼を、木材か樹脂との合成木材を利用する。サッシ▲２▼に近いところにサッシ▲２▼からの結露水を受ける結露水吸入口▲６▼の穴をあけた浅溝▲３▼を掘り、内部を刳り抜いて既に公知の吸湿と排出の出来るシリカゲル▲７▼を収納する空間をつくる。当該空間から排気穴（蒸発口）▲５▼が上部に抜け、横から空気導入穴▲８▼があいて、その貫通部分にシリカゲル▲７▼を収納して裏板▲９▼で塞いだ。本発明はこのような仕組となっている。
【０００６】
【作用】
サッシ▲２▼の結露水が浅溝▲３▼を通じて結露水吸入口▲６▼から収納されたシリカゲル▲７▼に吸着される。吸着された湿気はシリカゲル▲７▼を次ぎから次ぎと伝達され、この時に凝縮熱が出てシリカゲル収納内部の温度と湿度が上昇し、少なくとも、その内部より湿度の低い室内側に排気穴（蒸発口）▲５▼から蒸発する作用が加わる。サッシ▲２▼側は結露を発生させるに足りる低温となっており、コールドドラフト現象で冷たい空気が当該窓台▲１▼の表面を通って室内側に流れ、シリカゲル▲７▼が含んだ湿気を排気穴（蒸発口）▲５▼から蒸発をし易くする。更にその蒸発を促進させるため、横に空気導入穴▲８▼から通気が行なわれる。シリカゲル飛散防止メッシュ▲４▼はシリカゲル▲７▼が、掃除機などの吸引掃除で散乱しない作用がある。
【０００７】
【実施例】
本発明は次のような実施例がある。
【０００８】
＜１＞当該窓台▲１▼に無垢の木材を使用した本発明の実施例。
【０００９】
＜２＞当該窓台▲１▼に集成材や合成木材を使用した本発明の実施例。
【００１０】
＜３＞当該窓台▲１▼の構成部材を防水加工した本発明の実施例。
【００１１】
＜４＞窓台▲１▼の天板に障子用のレールを施した本発明の実施例。
【００１２】
＜５＞シリカゲル▲７▼に他の吸着剤を混合させた本発明の実施例。
【００１３】
＜６＞床面に埋まるタイプに成形加工した本発明の実施例。
【００１４】
【発明の効果】
本発明により、一切のエネルギーを使用することなく次の効果がある。
（１）結露水が流れ出さないので、結露水問題の多くを解決する。
（２）サッシ、ガラス面の結露水をあえて拭き取らなくとも自然処理される。
（３）窓台に結露水が溜まらないのでカーテンや内装などを汚さない。
（４）室内の乾燥時にシリカゲルから湿気を多く放出するため過乾燥を抑制する。
（５）シリカゲルは臭いなどの有機ガスも吸着する。
（６）加工や取り付け加工がし易い。
【００１５】
【図面の簡単な説明】
【図１】本発明の構造断面図
【図２】窓台構成部材の部分断面図
【図３】詳細透し図
【図４】全体通し図
【符号の説明】
▲１▼窓台
▲２▼サッシ
▲３▼浅溝
▲４▼シリカゲル飛散防止メッシュ
▲５▼排気穴（蒸発口）
▲６▼結露水吸入口
▲７▼シリカゲル
▲８▼空気導入穴
▲９▼裏板
【図１】
2005016275.tif 000003
【図２】
2005016275.tif 000004
【図３】
2005016275.tif 000005
【図４】
2005016275.tif 000006
(57)【要約】【課題】機能の回復が可能な砂防ダムを提供する。【解決手段】水流１が通過可能な越流口５を有し且つ越流口５よりも下側部分で砂礫２を留めるように河川に設置した堰堤３と、堰堤３の上流側を掘り下げて形成した貯留槽６と、堰堤３上に設けられ且つ貯留槽６に堆積した砂礫２を除去可能なバケット１１を有する掘削機械４とを備え、上流側から押し流されてきた砂礫２を貯留槽６に堆積させたうえ、掘削機械４を用いて貯留槽６の外部へ搬出する。【選択図】        図１
2005016211.tif 000002
【特許請求の範囲】
【請求項１】
水流の通過を許容し且つ砂礫を留めるように河川に設置した堰堤と、該堰堤の上流側を掘り下げて形成した貯留槽と、該貯留槽内の堆積物を除去可能な掘削手段とを備えてなることを特徴とする砂防ダム。
【請求項２】
水流が通過可能な越流口を有し且つ該越流口よりも下側部分で砂礫を留めるように河川に設置した堰堤と、該堰堤の上流側を掘り下げて形成した貯留槽と、堰堤上に設けられ且つ貯留槽内の堆積物を除去可能な掘削手段とを備えてなることを特徴とする砂防ダム。
【発明の詳細な説明】
【０００１】
【発明の属する技術分野】
本発明は砂防ダムに関するものである。
【０００２】
【従来の技術】
堤体によって河川の流れを堰き止め、利水、治水、潅漑、あるいは発電のために水を貯えるダム湖では、その上流側より押し流されてきた砂礫が湖底に堆積し、長期的には貯水量が減少することになる。
【０００３】
一般にダムを形成する堤体は、たくさんの貯水量が確保できるように、急峻な谷間を選んで構築しているので、ダム湖は水深が大きく、湖底に堆積した砂礫を浚渫して取り除く作業は容易ではない。
【０００４】
そこで従来は、水流の通過を許容し且つ砂礫を留める堰堤を備えた砂防ダムをダム湖の上流側に設けて、当該ダム湖への砂礫の流入を抑止している。
【０００５】
【発明が解決しようとする課題】
しかしながら、砂防ダムに留めることができる砂礫の量には限度があり、砂防ダムが砂礫で満たされる前に、その上流側に砂防ダムを新設する必要がある。
【０００６】
また、多量の降雨があった際には、土石流などの発生により砂防ダムが砂礫で埋めつくされて、機能を果たさなくなってしまう。
【０００７】
本発明は上述した実情に鑑みてなしたもので、機能の回復が可能な砂防ダムを提供することを目的としている。
【０００８】
【課題を解決するための手段】
上記目的を達成するため、請求項１に記載の発明は、水流の通過を許容し且つ砂礫を留めるように河川に設置した堰堤と、該堰堤の上流側を掘り下げて形成した貯留槽と、該貯留槽内の堆積物を除去可能な掘削手段とを備えている。
【０００９】
請求項２に記載の発明は、水流が通過可能な越流口を有し且つ該越流口よりも下側部分で砂礫を留めるように河川に設置した堰堤と、該堰堤の上流側を掘り下げて形成した貯留槽と、堰堤上に設けられ且つ貯留槽内の堆積物を除去可能な掘削手段とを備えている。
【００１０】
請求項１あるいは請求項２に記載の発明のいずれにおいても、上流側から水流とともに押し流されてきた砂礫などを貯留槽に堆積させ、この堆積物を掘削手段により貯留槽の外部へ搬出する。
【００１１】
また、請求項２に記載の発明においては、河川上流側から堰堤へ向かう水流を、越流口によって下流側へ導く。
【００１２】
【発明の実施の形態】
以下、本発明の実施の形態を、図示例とともに説明する。
【００１３】
図１及び図２は本発明の砂防ダムの実施の形態の一例を示すもので、この砂防ダムは、水流１の通過を許容し且つ砂礫２を留めるように河川に設置した堰堤３と、該堰堤３に設けた掘削機械４とを備えている。
【００１４】
堰堤３は、河川上流側から下流側へ向けて水流１が通過可能な越流口５を上下方向中間部分に有する鉄筋コンクリート構造物であり、当該越流口５よりも下側部分で、砂礫２を留めるようになっている。
【００１５】
堰堤３の上流側は、貯留槽６として掘り下げられ、水流１とともに押し流されてきた砂礫２が堆積するようになっている。
【００１６】
掘削機械４は、上部に旋回体７を有し且つ堰堤３に敷設したレール８に沿って移動可能な走行体９と、旋回体７に起伏可能に枢支したブーム１０と、該ブーム１０の先端部から昇降可能に吊り下げられ且つ砂礫２を掘削するバケット１１とを有している。
【００１７】
図１及び図２に示す砂防ダムでは、水流１だけを越流口５から堰堤３の下流側へ導き、砂礫２を堰堤３で留める。
【００１８】
この砂礫２は、堰堤３の上流側を掘り下げた貯留槽６に堆積するので、多量の砂礫２が押し流されてきても、砂防ダムが直ちに機能しなくなることはない。
【００１９】
貯留槽６に堆積した砂礫２が多くなったならば、走行体９の移動、旋回体７の回動、ブーム１０の起伏、バケット１１の昇降、及び開閉の動作の組み合わせによって貯留槽６内の砂礫２を、堰堤３に乗り入れたダンプカー１２に積み込んで集積地へ運搬し、砂防ダムの機能回復を図る。
【００２０】
また、ダンプカー１２のような車両に代えて、堰堤３上にベルトコンベヤなどの搬送設備を設け、当該搬送設備によって砂礫２を運搬するようにしてもよい。
【００２１】
なお、本発明の砂防ダムは上述した実施の形態のみに限定されるものではなく、本発明の要旨を逸脱しない範囲において変更を加えうることは勿論である。
【００２２】
【発明の効果】
以上述べたように、本発明の砂防ダムによれば下記のような種々の優れた効果を奏し得る。
【００２３】
（１）堰堤で留めた砂礫を、当該堰堤の上流側を掘り下げた貯留槽に堆積させるので、多量の砂礫が押し流されてきても、砂防ダムが直ちに機能しなくなることがない。
【００２４】
（２）貯留槽内に堆積した砂礫を掘削手段により外部へ搬出することができ、砂防ダムの機能回復を図れる。
【図面の簡単な説明】
【図１】本発明の砂防ダムの実施の形態の一例を示す概略縦断面図である。
【図２】本発明の砂防ダムの実施の形態の一例を示す概略平面図である。
【符号の説明】
１    水流
２    砂礫（堆積物）
３    堰堤
４    掘削機械（掘削手段）
５    越流口
６    貯留槽
【図１】
2005016211.tif 000003
【図２】
2005016211.tif 000004
(57)【要約】【課題】停止位置が２か所以上であっても静止と位置決めをする。【解決手段】駆動部に、制動距離をやや長くしたブレーキ４を配置するか、又は、ブレーキ４の後部に衝撃吸収軸継手５を配置し、Ｖ形斜面Ｃにローラー付伸縮筒Ｄのローラー８を低速度で押圧し、停止位置を補正する。【選択図】        図２
2005016701.tif 000002
【特許請求の範囲】
【請求項１】
走行台車（Ａ）や旋回テーブル（Ｂ）等、高慣性力機の駆動部に、制動距離をやや長く設定したブレーキ（４ａ）を配置し、停止時において、ブレーキの作動後、Ｖ形斜面（Ｃ）にローラー付伸縮筒（Ｄ）のローラー（８）を低速度で押圧し、Ｖ形斜面（Ｃ）の突端部に導くことにより、静止と位置決めをする機構。
【請求項２】
高慣性力機の駆動部に、ブレーキ（４ｂ）と、ブレーキ（４ｂ）の後部にバネによる衝撃吸収軸継手（５）を配置した請求項１記載の静止と位置決めをする機構。
【請求項３】
Ｖ形斜面（Ｃ）の突端部に、ローラー付伸縮筒（Ｄ）の伸縮方向に平行な面により形成するローラー（８）との嵌合部を設け、位置決めをする請求項１、２記載の静止と位置決めをする機構。
【発明の詳細な説明】
【０００１】
【産業上の利用分野】
本発明は、走行台車や旋回テーブル等の高慣性力機において、静止と位置決めをする機構に関するものである。
【０００２】
【従来の技術】
従来、高慣性力機の静止と位置決めをする機構においては、図５に示すごとく、ショックアブソーバーとストッパーを併設する機構等がある。
【０００３】
【発明が解決しようとする課題】
従来のショックアブソーバーとストッパーを併設する機構にあっては、突き当て式のため、停止位置が２か所で、往復運動に限られるものである。
【０００４】
本発明は、停止位置が多数であっても滑らかな停止と、正確な位置決めをし、ブレーキ容量の選定も容易にできること等を目的としている。
【０００５】
【課題を解決するための手段】
上記目的を達成するために、本発明による静止と位置決めをする機構においては、駆動部に、制動距離をやや長く設定したブレーキを配置し、停止時において、ローラー付伸縮筒を低速度でＶ形斜面に押圧するものである。
【０００６】
そして、上記駆動部に、ブレーキと、ブレーキの後部にバネによる衝撃吸収軸継手（例えば、出願番号、特願２００１−１６７４６３や、特願２００３−１７２６６４等がある）を配置することが効果的である。
【０００７】
また、上記Ｖ形斜面の突端部に、ローラー付伸縮筒の伸縮方向に平行な面により形成するローラーとの嵌合部を設けることがより効果的である。
【０００８】
【発明の実施の形態】
発明の実施の形態を実施例にもとづき図面を参照して説明する。
図１、図２において、走行台車Ａ、又は旋回テーブルＢの駆動部として、モーター２、ブレーキ４、バネによる衝撃吸収軸継手５、又はブレーキ４、モーター２、バネによる衝撃吸収軸継手５の順に配置し、フレーム１、７、又は走行台車Ａ、又は旋回テーブルＢの外部にローラー付伸縮筒を配置する。そして、必要停止位置に作動すべく、ローラー付伸縮筒Ｄに対向する位置にＶ形斜面Ｃを配置する。
【０００９】
図３に示される実施例では、Ｖ形斜面Ｃび突端部に、ローラー付伸縮筒Ｄの伸縮方向に平行な面により形成するローラー８との嵌合部を設ける。
【００１０】
図４に示される実施例では、ローラー８をロッド９の先端に連結し、ロッド９はスライド軸受等１０を介して外筒１１に支持する。又、ロッド９の一端には、油圧や空気圧、又は電動ネジによるシリンダー１２を連結してローラー付伸縮筒Ｄを構成する。
【００１１】
図５に示される実施例では、従来の機構として、ショックアブソーバー１３にストッパー１４を併設している。
【００１２】
【発明の効果】
本発明は、以上のように構成されているので、以下に記載されるような効果を奏する。
【００１３】
高慣性力機の停止において、容量の大きなブレーキを使用し、短い制動距離を停止をすると、機構各部に強い衝撃がかかり、走行台車等、車輪を有する場合、車輪と軌道との間にスリップを発生したりする問題点がある。又、長い制動距離で停止をすると、荷重に変動がある場合に、停止位置が大きく違ってしまうものであるが、伸縮筒のローラーがＶ形斜面内で停止するようにブレーキの制動距離を設定すると、ブレーキによる停止後、ローラー付伸縮筒のローラーを低速度でＶ形斜面に押圧し、突端部に導くことにより静止と位置決めができる。
【００１４】
そして、駆動部に、ブレーキと、ブレーキの後部にバネによる衝撃吸収軸継手を配置することにより、ブレーキの容量が過大なものであっても、ブレーキにかかるトルクがスロープ状に滑らかに上昇するため、機構各部にかかる衝撃を軽くすることができる。又、たわみ量が十分なバネを使用した衝撃吸収軸継手を使用すると、ブレーキの容量が過大なものであっても、バネのたわみ量によって、慣性力とバネの力が均衡した状態で、伸縮筒のローラーをＶ形斜面内で停止させることができる。そして、停止付近においては、慣性力とバネの力が均衡しているため、ブレーキの力が働いているときでも、非常に小さい抵抗力で、ローラー付伸縮筒のローラーを低速度でＶ形斜面に押圧し、突端部に導くことができる。
【００１５】
また、Ｖ形斜面の突端部に、ローラー付伸縮筒の伸縮方向に平行な面により形成するローラーとの嵌合部を設け、位置決めすることにより、ローラーによるＶ形斜面への押圧力を解除し、停止した状態で正確な位置決めができる。
【図面の簡単な説明】
【図１】（ａ）は、走行台車の側面図である。
（ｂ）は、（ａ）のＥ−矢視図である。
【図２】（ｃ）は、旋回テーブルの側面図である。
（ｄ）は、（ｃ）のＦ−矢視図である。
【図３】Ｖ形斜面の縦断面図である。
【図４】ローラー付伸縮筒の縦断面図である。
【図５】従来のショックアブソーバーとストッパーを併設する場合の側面図である。
【符号の説明】
Ａ  走行台車
Ｂ  旋回テーブル
Ｃ  Ｖ形斜面
Ｄ  ローラー付伸縮筒
１、７  フレーム
２  モーター
３  クラッチ
４  ブレーキ
５  バネによる衝撃吸収軸継手
６  減速機等
８  ローラー
９  ロッド
１０  スライド軸受等
１１  ケーシング
１２  油圧や空気圧、又は電動ネジによるシリンダー
１３  ショックアブソーバー
１４  ストッパー
【図１】
2005016701.tif 000003
【図２】
2005016701.tif 000004
【図３】
2005016701.tif 000005
【図４】
2005016701.tif 000006
【図５】
2005016701.tif 000007
(57)【要約】【課題】ロッド式シリンダーのロッドが如何なる位置にあってもロッドの動きを感知できるようにする事が目的である。【解決手段】ロッドに円形ゴム（１）と円形プレート（２）を設けストッパー（３）によりロッドのストロークと関係なく常に一定の範囲でスイッチを作動させるようにした。【選択図】        図１
2005016702.tif 000002
【特許請求の範囲】
【請求項１】
ロッド式シリンダーのロッド（８）に円形ゴム（１）と円形プレート（２）を差し込み、シリンダー（７）にストッパー（３）をバンド（４）で固定しセンサー（５）及びスイッチ（６）で構成したロッドストロークセンサー
【発明の詳細な説明】
【０００１】
【発明の属する技術分野】
この発明は、ロッド式シリンダーのストロークに関係なく常に一定の範囲でスイッチを作動させる事ができる装置に関するものである。
【０００２】
【従来の技術】
従来のロッド式シリンダーのスイッチ及びセンサーはロッドが完全に出た時と完全にロッドがシリンダーに戻った時の二カ所でしか作動せずファジーなロッドストロークではスイッチ及びセンサーを作動させる事ができなかった。
【０００３】
【発明が解決しようとする課題】
本発明は、その欠点をなくすために、シリンダーのストロークに関係なく常に一定の範囲をスライドしスイッチ及びセンサーを作動させる事を課題として研究を進めた。
【０００４】
【課題を解決するための手段】
ロッド（８）のストロークに関係なく常に一定の範囲でスイッチ及びセンサーを作動させるには、ロッド（８）に円形のゴム（１）を差し込み一定の圧力で密着させ円形ゴム（１）の外側に円形プレート（２）を取り付け、プレート（２）のストロークを一定にするためのストッパー（３）をバンド（４）でシリンダー（７）に固定しセンサー（５）及びスイッチ（６）をストッパー（３）に装着し構成する事が実験と理論の結果最上であることを発見した。
【０００５】
【発明の実施の形態】
本発明は以上のような構成であるからロッド式シリンダーのストロークに簡係なく一定の範囲でスイッチ及びセンサーを作動させる事が可能になった。
【０００６】
【実施例】
以下、本発明の実施例についての説明。
予め、円形ゴム（１）と円形プレート（２）を組み付け、ロッド（８）に差し込み、ストッパー（３）をバンド（４）でシリンダー（７）に固定する、その後ストッパー（３）にセンサー（５）及びスイッチ（６）を固定する。
【０００７】
【発明の効果】
本発明は以上のような構成だから、ロッド（８）が如何なる位置にあってもセンサー（５）及びスイッチ（６）を作動させる事が可能になった。
【図面の簡単な説明】
【図１】本発明の一部切り欠いた断面図である
【符号の説明】
１  円形ゴム    ２  円形プレート    ３  ストッパー    ４  バンド
５  センサー    ６  スイッチ        ７  シリンダー    ８  ロッド
【図１】
2005016702.tif 000003
(57)【要約】【課題】本発明は、エアコン等室外機より発生する不快な排気風の温度を下げる、「気化冷却」の原理を利用した水循環式、水流式冷風装置である。従来、室内の冷風機などは普及しているが、エアコン等の排気温度を下げる事を目的とした、室外用冷風装置は無かった。テラス等個々の住環境の改善と、広い視野でヒートアイランドなどの温暖化防止等、環境改善を目的とする、簡易冷風装置を提供する。【手段】従来、室内用冷風機などで使われている「気化冷却」作用の原理を利用した装置の水循環部分を使い、ファンの替わりにエアコン等の室外機から排出される排気風を取り込んで、冷風に変える。【選択図】図１
2005016920.tif 000002
【特許請求の範囲】
【請求項１】
水タンクを通って回転する水フィルターの水分を蒸発させてできる「気化冷却作用」を利用し、エアコン等の室外機より排出される排気の温度を下げる、水循環式冷風装置
【請求項２】
循環用ポンプで水を吸い上げ、吸水カーテンに流し水分を蒸発させてできる「気化冷却作用」を利用し、エアコン等の室外機より排出される排気の温度を下げる、水循環式冷風装置。
【請求項３】
ホース等導いた水を板状の物に流す事で、水分を蒸発させてできる「気化冷却作用」を利用し、エアコン等の室外機より排出される排気の温度を下げる、水流式冷風装置。
【発明の詳細な説明】
【０００１】
【発明の属する技術分野】
この発明は、エアコン等の室外機排気口の外に設置し、排気の温度を下げる、「気化冷却作用」を利用した、冷風装置に関するものである。
【０００２】
【従来の技術】
従来、室内用冷風機等で使用されている、「気化冷却作用」を利用した水循環式冷風装置は知られている。しかし、エアコン等によって排出される排気温度を下げる事を目的とした、屋外の環境に対応する物は無い。
【０００３】
【発明が解決しようとする課題】
エアコン等の冷房・ドライ運転時、室外機の排気部分から発生する温風は、不快感を与える他、狭いテラスなどでは、外気温を極端に上昇させ、ガーデニングなどの植物に悪影響を与えている。また密接した住環境では、近隣への迷惑ともなり、広い意味では、ヒートアイランドなど温暖化等の環境悪化につながっている。
本発明は、以上の問題を軽減させ個々の住環境を改善し、牽いては都会のヒートアイランド現象の改善を目指した装置である。
【０００４】
【課題を解決する手段】
現在、室内用涼風機等で使用されている「気化冷却作用」原理を利用し、構造上セットされている風を作る「ファン」機能を取り外し、エアコン等の室外機排気口外に設置することで、ファンの替わりにエアコン室外機の排気風を通す。
本発明は、以上の構成よりなる、エアコン等の不快な排気の温度を下げる事を目的とした、従来の「打ち水」での涼感を作る為の、室外用「気化冷却作用」の原理を利用した冷風装置である。
【０００５】
【発明の実施の形態】
以下、本発明の実施の形態を説明する。
（イ）ポンプで水を吸い上げる方法（１）、あるいは回転式水フィルターを回転させる方法（２）、ホースにより水を直接供給させる方法（３）等、従来使用されている水循環装置を使い、板状の面に水分を供給させる。
（ロ）水タンクを設ける。
本発明は、以上の構成よりなる。
本発明を使用する場合は、「水タンク」（４）を有した「板状の面（５）」をエアコン等の室外機排気口（６）に沿うように設置し、排気風を気化冷却して温度を下げ、外に送り出す。
【発明の効果】
本発明を使用する事で、エアコン等の室外機より排出される不快な排気風の温度を下げ、テラスなどの個々の住環境を改善し、近隣への迷惑を軽減させ、ひいては、ヒートアイランド等の温暖化現象を改善させる事ができる。
【図面の簡単な説明】
【図１】本発明（１）の側面使用状況図
【図２】本発明（２）の側面使用状況図
【図３】本発明（３）の側面使用状況図
【図４】本発明（３）の正面使用状況図
【符号の説明】
（１）ポンプで水を吸い上げる方法
（２）回転式水フィルターを回転させる方法
（３）ホースによる水直接供給する方法
（４）水タンク
（５）板状の面
（６）エアコン等の室外機排気口
【図１】
2005016920.tif 000003
【図２】
2005016920.tif 000004
【図３】
2005016920.tif 000005
【図４】
2005016920.tif 000006
(57)【要約】【課題】  業務用遊戯機械やガシャポンと呼ばれるおもちゃの自動販売機の機械内に投入した商品について、機械から商品が日常的に払い出された場合や新しい商品を投入した場合などに、どの様な種類の商品が何個払い出されたか又は投入されたか、さらに現在機械内部に投入されている商品の種類と数量がリアルタイムに把握できる、ＩＣタグ貼付に依る業務用遊戯機械及びおもちゃ自動販売機の中身商品の実態把握方法を提供する。【解決手段】  封入カプセルや商品及びその包装材等にＩＣタグを設け、業務用遊戯機械やガシャポンと呼ばれるおもちゃの自動販売機に供給する。そして商品ストッカー内の商品情報を、ＩＣタグ用リーダーで随時読取ることができる、ＩＣタグ貼付に依る業務用遊戯機械及びおもちゃ自動販売機の中身商品の実態把握方法。【選択図】  図１
2005339476.tif 000002
【特許請求の範囲】
【請求項１】
業務用遊戯機械やガシャポンと呼ばれるおもちゃの自動販売機に供給する商品及び景品で封入カプセル及び商品及び商品の包装材等にＩＣタグを有することを特徴とするＩＣタグ貼付に依る業務用遊戯機械及びおもちゃ自動販売機の中身商品の実態把握方法。
【発明の詳細な説明】
【技術分野】
【０００１】  本発明は、業務用遊戯機械やガシャポンと呼ばれるおもちゃの自動販売機の封入カプセルや中身商品及びその包装材にＩＣタグを貼付し機械に取り付けられたＩＣタグ用リーダ・ライターや携帯用ＩＣタグ用リーダおよびライターにより機械内部の商品個数や種類などを検出するＩＣタグ貼付に依る業務用遊戯機械及びおもちゃ自動販売機の中身商品の実態把握方法に関する。
【背景技術】
【０００２】  従来、業務用遊戯機械及びおもちゃ自動販売機では中身商品は１つのストッカーに収容されるため、種類別の払い出し管理ができなかった。【０００３】  そして、業務用遊戯機械及びおもちゃ自動販売機を大量に取扱う管理者は、中身商品の増減による数量の把握や種類の把握に多大の人手を要し正確な把握ができず、大雑把な管理しかできなかった。
【発明の開示】
【発明が解決しようとする課題】
【０００４】  そのために、次のような問題点があった。
業務用遊戯機械及びおもちゃ自動販売機においては中身商品の種類が多く形状もまちまちである為、商品別ストッカーを持つことができなかった。【０００５】  そのため、中身商品の販売数量は把握できても種類別の販売管理をするためには毎日、終業後、機械１台づつの中身商品を人手で計数するしか手段がなかった。【０００６】  そして、機械内商品の数量を毎日、把握するためには、多大な人件費が掛かってしまい、機械の故障などにより、機械内商品が多く払い出されている場合でも、その事に気づく期間が長くなり、損害が大きかった。【０００７】  そして、中身商品の把握には、営業時間内の実施がほぼ不可能であり、深夜、早朝の作業となり、肉体的にも過酷なものとされていた。
本発明は以上の問題点を解決しようとするものである。
【課題を解決するための手段】
【０００８】  業務用遊戯機械及びおもちゃ自動販売機内商品の正確な数量、種類を把握する為、商品の封入カプセルや商品及びその包装材にＩＣタグを貼付した。そして、業務用遊戯機械及びおもちゃ自動販売機内にＩＣタグ用リーダーとリーダーにより読み取られた中身商品データ表示装置を設けた。【０００９】  そして、おもちゃ自動販売機では機械式で無電源のものも多いので封入カプセルや商品にＩＣタグを貼付することにより、携帯型ＩＣタグ用リーダーでおもちゃ自動販売機内部のストッカー内商品が把握できるようにした。【００１０】  これにより人手による一商品ずつの分離、認識する作業が不要となり、商品の紛失、二重集計、盗難防止といったことにも効果が期待でき、管理・検索・データ処理等の精度は著しく向上した。【００１１】  また、管理者が直接商品に手を触れることが少なくなり、落下や破損事故が少なくなった。
以上を特徴とするＩＣタグ貼付に依る業務用遊戯機械及びおもちゃ自動販売機の中身商品の実態把握方法である。
【発明の効果】
【００１２】  本発明は、多大な人手を要せず、機械内商品の情報が容易に把握でき、また、機械を開けず中身商品情報をＩＣタグ用リーダーで読み出せるようになり営業時間内であっても在庫管理ができるようになった。
【発明を実施するための最良の形態】
【００１３】  以下、本発明の実施の形態について説明する。
（イ）商品（３）が封入りカプセル（１）に入れられている場合、封入りカプセル（１）にＩＣタグを埋め込む。
（ロ）商品（３）が単体で扱われる場合、商品（３）にＩＣタグ（２）を埋め込む。
（ハ）商品（３）が商品包装材（４）に入れられている場合、商品包装材（４）にＩＣタグ（２）を貼り付ける。
本発明は、以上の構成によりなっている。
【図面の簡単な説明】
【００１４】
【図１】本発明の封入りカプセルにＩＣタグを埋め込んだ斜視図
【図２】本発明の商品にＩＣタグを埋め込んだ斜視図
【図３】本発明の商品包装材にＩＣタグを埋め込んだ斜視図
【符号の説明】
【００１５】１  封入りカプセル
２  ＩＣタグ
３  商品
４  商品包装材
【図１】
2005339476.tif 000003
【図２】
2005339476.tif 000004
【図３】
2005339476.tif 000005
(57)【要約】      （修正有）【課題】生物の生産において、連続性および一貫性を確保した生物の生産履歴方法を提供する。【解決手段】生物から、それに付帯した個体識別器具を取り外し回収する時、履歴の連続性を確保するため、その生物の、動物なら肉片、植物等であれば葉等の細胞を同時に採取し、同時に個体識別器具を除去されたその生物の形を変えた物を、番号、コード、模様等で特定し、取り外す前の個体識別器具と関連させ、回収した細胞はその電子タグ等の個体識別器具、または体内埋め込み型の個体識別器具等、または、生物の形を変えた物に付与した個体特定法とコンピューター管理により関連させ一元管理し、生物の生産履歴の一貫性を確保することができ、生産履歴の検証、所謂トレーサビリティ（追跡可能性）に貢献できる。【選択図】図１
2005339477.tif 000002
【特許請求の範囲】
【請求項１】
生物において、体内及び体外を問わず、ＩＣタグや電子回路等の個体識別器具、または非電子化の文字や番号やバーコード等の模様による個体識別器具を生物に付帯させ個体を特定し、生産履歴の追跡を行う際、その個体識別器具をその生物から除去回収する時、その生物固有の細胞とその個体識別器具を同時に採取保管し、その取り外し後の生物の個々情報と関連連続させ、コンピューターで生物の生産履歴を管理するビジネスモデル。
【請求項２】
請求項１において、回収した個体識別器具の識別番号や文字、模様、バーコード等、または、ＩＣタグや電子回路等を利用し、回収した個体識別器具を保管管理しコンピューターで生物情報として管理するビジネスモデル。
【請求項３】
請求項２において個体識別器具に代わり、独立行政法人家畜改良センター付与の個体識別番号を利用し、生物情報として回収した個体識別器具と細胞をコンピューターを用い管理すること。
【請求項４】
請求項１または、請求項２または両方を用いて生物情報システムを構築すること。
【請求項５】
請求項１、請求項２、請求項３のシステムの情報を区分し、利用権または管理権を区分に応じ付与するビジネスモデル。
【発明の詳細な説明】
【技術分野】
【０００１】この発明は、生物の個体管理及び生産履歴に関する。
【背景技術】
【０００２】従来の生産履歴はその販売網や会社の信用で保証した。しかし近年、消費者意識の向上に伴い、消費する物の生産履歴は重要性を増した。特に規格品の集合体でとも言える工業製品と違い、生物を扱う農水産業生産品において重要性を増した。そのため生産履歴を追跡出来る様、生物においては、生産システムそのものも変化対応している。例えば、牛においても、個体識別番号を付与したり電子タグを装着したり生産システムも従来の群の管理から個体管理へと大きく変わってきた。
【発明の開示】
【発明が解決しようとする課題】
【０００３】しかしながら、以上の従来技術によれば、生物の生産履歴はその生物が形を変えたとき、例えば家畜が屠畜処理され食肉にされた時、生産履歴の連続性は遮断された。
【課題を解決するための手段】
【０００４】本発明は、生物から、それに付帯した単なる個体識別器具、または電子タグおよびＲＦＩＤ等の電子回路による個体識別器具を取り外し回収する時、つまり生物が形を変えるとき、履歴の連続性を確保するため、その生物の、動物なら肉片、植物等であれば葉等、その生物の細胞を同時に採取する。同時に個体識別器具を除去されたその生物の形を変えた物を、番号、コード、模様等で特定し、取り外す前の個体識別器具と関連させる。回収した細胞はその電子タグ等の個体識別器具、または体内埋め込み型の個体識別器具等または、生物の形を変えた物に付与した個体特定法とコンピューター管理により関連させ一元管理し、生物の生産履歴の一貫性を確保する方法です。
【発明の効果】
【０００５】上述したように、本発明により、生物の個体特定器具を回収する際、その生物を特定する手段としての細胞等を同時に回収することにより、その後の生物の流通との連続性が確保でき生産履歴の一貫性を確保する。【０００６】生産履歴上、疑義が生じた際、個体識別器具を回収した時の個体識別器具と付帯生物のＤＮＡ等による照合が可能になり、生産履歴の検証に役立つ。【０００７】回収した個体識別器具を使い生物の細胞を管理保管が容易にできる。
【発明を実施するための最良の形態】
【０００８】以下、本発明の一実施形態を、図１に基づいて説明する。【０００９】図において、生物例の１を豚と仮定して説明する。豚１は登録により個体識別器具２を付与される。農家により飼育され、屠畜処理場３で処理される。その際、個体識別器具２と共に肉片４を回収保管する。データをコンピューター６に登録し管理する。コンピューター６はインターネット７に接続される。【００１０】  対象生物を畜産物のみではなく、水産物、農業作物とするときもある。
【図面の簡単な説明】
【００１１】
【図１】本発明の実施形態を示す  生物付帯の個体識別器具の取り外し回収保管管理
【符号の説明】
【００１２】      １  対象動物  豚
２  個体識別器具
３  屠畜処理場
４  肉片（細胞）
５  精肉
６  コンピューター
７  インターネット
【図１】
2005339477.tif 000003
(57)【要約】【課題】来るべきマルチメディア社会、情報化社会にどのようにして視聴者が会場との一体感、臨場感を増幅させるかが課題である。【解決手段】携帯やパソコンなどでも視聴可能なサイトから勝敗予想や応援の形態で視聴者が参加できるコンテンツを提供し、また大衆の勝敗予想や応援の形を閲覧できるため、会場との盛り上がりを得ることになり、新たな応援の形になりうる。【選択図】なし【特許請求の範囲】
【請求項１】
テレビ上、あるいはＷｅｂ上で放送されているスポーツやコンサートの視聴者が、リモコンやパソコン、携帯電話などの端末を用いて行ったリアクションをインターネットを通じてリアルタイムに収集し、同じくリアルタイムにイベント会場に歓声やグラフなどの形をとって反映させるビジネスモデル。
【請求項２】
請求項１の内容を含むビジネスモデルのうち、視聴者からのリアクションの情報を集約し、結果を視聴者に提供することで、視聴者間の情報交換やネットワーク形成の場を提供することをその特徴とするビジネスモデル。
【発明の詳細な説明】
【発明の詳細な説明】
【技術分野】
【０００１】本発明は、インターネット技術を用いたスポーツやコンサートに関するビジネスモデルに属する。
【背景技術】
【０００２】従来の地上波アナログ放送は、一方通行で視聴者参加型ではない。また、ＢＳデジタル放送についても、双方向システムは確立されているが、本発明の着目するスポーツやコンサートの番組については、データ提供等に留まっている。
【発明が解決しようとする課題】
【０００３】来るべきマルチメディア社会及び情報化社会において真のリアリズムは不可欠である。
【０００４】ところが、一方通行のメディアでは現場との一体感、盛り上がりを本当に感じることは難しい。
【０００５】視聴者の歓声や応援といったリアクションがリアルタイムに現場、ひいてはスポーツ選手やアーティストに何らかの形で伝えることの実現。また、視聴者からの投票などの情報を集約・提供することの実現。
【課題を解決するための手段】
【０００６】テレビに関しては、ＢＳデジタル放送の技術（受信機に内蔵されているモデムにより、視聴者のリアクションを電話回線などを利用して収集する技術）を利用する。その他Ｗｅｂ上サイトで投票や応援など視聴者参加型のコンテンツを提供することにより、携帯電話やパソコンをこの発明の媒体として利用できる。
【実施例】
【０００７】テレビやインターネットでスポーツなどのライブ映像を視聴する人が、ネット上の特定のサイトから勝敗に関する予想や応援を図一に示される携帯端末やパソコン端末、マルチテレビリモコン端末などから入力し、その情報がインターネットを介して、ホストコンピューターに集積され、大衆の勝敗予想や応援に関する情報が出来あがる。【０００８】その情報が再びインターネットを介して、携帯端末やパソコン端末、リモコン端末に送られ、視聴者は世論としてどちらが優勢であるということを知ることが出来る。【０００９】また、統計情報の集積、公表は試合の続く限りリアルタイムで進行するため、試合の盛り上がりや攻勢によって、情報がダイレクトに変化し、視聴者は現場との一体感、そして躍動感を感じることになる。またひとつの端末からの入力回数を無制限にすることでも、新たな応援の形になる。
【発明の効果】
【００１０】視聴者は、自らのリアクションが現場に反映されるという、従来に無い臨場感を得ることが出来る。
【００１１】視聴者間の情報が集約、提供されるため、視聴者間にコミュニケーション空間を提供し、新たなネットワーク形成を助長することが出来る。
【００１２】また、視聴者に限らず、現場の観客や選手アーティストにとっても、会場の外とも繋がっているという連帯感を与えることが出来、本発明を積極的にイベントプログラムに取り入れることで、チケットを入手出来なかったファンなどに対する配慮・サービスとなり得る。
【００１３】なお、本発明はイベント主催者と連携して行われる場合、オリンピックなどの大規模なイベントから社会人野球などの小規模なイベントまで、広く利用可能である。
【図面の簡単な説明】
【図１】本発明に関する端末、ホストコンピューター、会場を表す概念図である。
【図１】
2005339479.tif 000002